(57)【要約】【課題】住居の部屋において、人が物の収納と取り出しをスムーズに行え、且つ、収納した物を隠すことができるようにする。【解決手段】住居構造１０は、物を収納する収納空間Ｓ２が設定された部屋５を形成する。部屋５は、主空間Ｓ１と収納空間Ｓ２を有する。部屋５には、目隠し壁１５が設けられる。収納空間Ｓ２は、目隠し壁１５により第１水平方向に覆われる遮蔽部分Ｓ２ａと、遮蔽部分Ｓ２ａから第２水平方向に連続しており主空間Ｓ１へ開放されている開放部分とを有する。第１水平方向と第２水平方向とは互いに交差している。【選択図】図２
2020066881.tif 000002
【特許請求の範囲】
【請求項１】
物を収納する収納空間が設定された部屋を形成する住居構造であって、
前記部屋は、主空間と前記収納空間を有し、
前記部屋に設けられた目隠し壁を備え、
前記収納空間は、
前記目隠し壁により第１水平方向に覆われる遮蔽部分と、
前記遮蔽部分から第２水平方向に連続しており、前記主空間へ開放されている開放部分と、を有し、
第１水平方向と第２水平方向とは互いに交差している、住居構造。
【請求項２】
前記開放部分は、第１水平方向に前記主空間に開放されている、請求項１に記載の住居構造。
【請求項３】
前記開放部分には、前記主空間から第１水平方向に見えるように収納棚が設けられている、請求項２に記載の住居構造。
【請求項４】
前記遮蔽部分には、水平に配置された棒状部材が設けられている、請求項１〜３のいずれか一項に記載の住居構造。
【請求項５】
前記部屋は、リビングルーム、リビングダイニングルーム、又は、リビングダイニングキッチンルームである、請求項１〜４のいずれか一項に記載の住居構造。
【請求項６】
前記収納空間の高さは、前記主空間の高さと同じである、請求項１〜５のいずれか一項に記載の住居構造。
【請求項７】
前記遮蔽部分を基準として前記開放部分と反対側には、前記遮蔽部分に隣接する隣接空間部分が設けられており、該隣接空間部分は、前記主空間の一部を形成し、
前記遮蔽部分と反対側において前記目隠し壁と対向する位置から前記目隠し壁側を見た場合に、前記隣接空間部分が見えるようになっている、請求項１〜６のいずれか一項に記載の住居構造。
【請求項８】
前記住居構造は、集合住宅における住戸の構造である、請求項１〜７のいずれか一項に記載の住居構造。
【発明の詳細な説明】
【技術分野】
【０００１】
本発明は、物の収納と取り出しをスムーズに行うための収納空間が設けられた住居構造に関する。
【背景技術】
【０００２】
住居において、人が出入りできる複数の部屋のうち１つの部屋を収納室とする場合がある（例えば特許文献１）。人は、収納室と他の部屋との間を出入りして、物を収納室に収納し、収納室から物を他の部屋へ運び出すことができる。
【０００３】
また、収納室の出入口には、通常、ドアが設けられている。このドアを閉めることで、収納室に収納した物を隠すことができる。
【先行技術文献】
【特許文献】
【０００４】
【特許文献１】特開２０１７−０６６６４７号公報
【発明の概要】
【発明が解決しようとする課題】
【０００５】
しかし、収納室へ入るためには、ドアを開ける必要がある。また、他の部屋の物を収納室へ収納するには、人は当該他の部屋から収納室へ移動する必要があり、収納室から他の部屋へ物を移動するには、人は収納室から当該他の部屋へ移動する必要がある。このような場合には、人がドアを開閉し別々の部屋の間を行き来する手間が生じるので、物の収納と取り出しをスムーズに行えない。
【０００６】
そこで、本発明の目的は、住居の部屋において、人が物の収納と取り出しをスムーズに行え、且つ、収納した物を隠すことができる住居構造を提供することにある。
【課題を解決するための手段】
【０００７】
上述の目的を達成するため、本発明による住居咬合は、物を収納する収納空間が設定された部屋を形成する住居構造であって、
前記部屋は、主空間と前記収納空間を有し、
前記部屋に設けられた目隠し壁を備え、
前記収納空間は、
前記目隠し壁により第１水平方向に覆われる遮蔽部分と、
前記遮蔽部分から第２水平方向に連続しており、前記主空間へ開放されている開放部分と、を有し、
第１水平方向と第２水平方向とは互いに交差している。
【発明の効果】
【０００８】
本発明によると、収納空間の遮蔽部分は、目隠し壁により第１水平方向に覆われているので、遮蔽部分に収納した物を、主空間から隠すことができる。
また、遮蔽部分から第２水平方向に連続している開放部分は、主空間に開放されているので、主空間と遮蔽部分との間を人がスムーズに移動できる。したがって、遮蔽部分への物の収納と、遮蔽部分からの物の取り出しがスムーズになる。
【図面の簡単な説明】
【０００９】
【図１】本発明の第１実施形態による住居構造の平面図である。
【図２】図１の部分拡大図である。
【図３】図１のＩＩＩ−ＩＩＩ矢視図である。
【図４】図１のＩＶ−ＩＶ矢視図である。
【図５】本発明の第２実施形態による住居構造の平面図である。
【図６】図５のＶＩ−ＶＩ矢視図である。
【図７】本発明の第３実施形態による住居構造の平面図である。
【図８】図６のＶＩＩ−ＶＩＩ矢視図である。
【発明を実施するための形態】
【００１０】
［第１実施形態］
図１は、本発明の第１実施形態による住居構造１０の平面図である。第１実施形態では、住居構造１０は、集合住宅における住戸の構造である。図１の例では、住居構造１０は、玄関１、複数の部屋２〜５、トイレ６、浴室７、収納室９、洗面所１１、バルコニー１３などを形成している。図１において、各部屋２〜５、トイレ６、浴室７、収納室９、洗面所１１における実線で示すドア又は扉は、２点鎖線で示す位置との間で往復移動可能であり、円弧状の破線は、当該ドア又は扉の移動軌跡を示す。
【００１１】
各部屋２〜５は、人が過ごすための居間、又は、居間を含む部屋である。部屋２〜５のうち少なくともいずれか（対象の部屋という）には、物を収納する収納空間Ｓ２（破線で囲んだ部分）が設定されている。図２は、図１の部分拡大図であり、対象の部屋（ここでは部屋５）を示す。対象の部屋５は、主空間Ｓ１（破線で囲んだ部分）と収納空間Ｓ２を有する。主空間Ｓ１は、収納空間Ｓ２よりも大きくてよい。主空間Ｓ１は、人が過ごすための空間であるのに対し、収納空間Ｓ２は、物を収納するための空間である。図１のように、収納空間Ｓ２の形状は、鉛直方向から見た場合、長方形であってよいが、この形状に限定されない。
【００１２】
収納空間Ｓ２は、図２のように遮蔽部分Ｓ２ａ（破線で囲んだ部分）と開放部分Ｓ２ｂ（破線で囲んだ部分）とを有する。対象の部屋５には、遮蔽部分Ｓ２ａを隠すための目隠し壁１５が設けられている。すなわち、遮蔽部分Ｓ２ａは、目隠し壁により第１水平方向（図２の例では、この図における左右方向）に覆われている。開放部分Ｓ２ｂは、第１水平方向と交差（例えば直交）する第２水平方向に遮蔽部分Ｓ２ａから連続しており第１水平方向に主空間Ｓ１へ開放されている。第２水平方向は、図２の例では、この図における上下方向である。
【００１３】
開放部分Ｓ２ｂにおける主空間Ｓ１への開口Ｓ２ｏ（図２）には、当該開口Ｓ２ｏを閉じるドアや扉などの開閉手段は設けられず、開放部分Ｓ２ｂは開口Ｓ２ｏを通して主空間Ｓ１へ常時開放されていてよい。
【００１４】
目隠し壁１５は、部屋５の空間を主空間Ｓ１（図２の破線で囲んだ部分）と収納空間Ｓ２の遮蔽部分Ｓ２ａとに区切っている。目隠し壁１５を設ける部屋５は、図２では居間（リビングルーム）とダイニングルーム（食堂）とキッチン（台所）が１つになったリビングダイニングキッチンルームである。この場合、目隠し壁１５は、リビングダイニングキッチンルーム５におけるダイニング部分と居間部分の一方又は両方に面していてよい。
【００１５】
第１実施形態では、開放部分Ｓ２ｂには、主空間Ｓ１（例えばダイニング部分と居間部分の一方又は両方）から第１水平方向に見えるように収納棚１７が設けられている。図２のように、収納棚１７は、開放部分Ｓ２ｂにおける主空間Ｓ１への開口Ｓ２ｏに対面するように配置されている。このような収納棚１７は、開放部分Ｓ２ｂにおいて、主空間Ｓ１への開口Ｓ２ｏと反対側の最も奥側の位置に配置されている。この収納棚１７に置いた物品１８は主空間Ｓ１から見えるので、インテリアデザイン性を発揮する物品１８（書籍、オーディオ機器、植木鉢、他の装飾品など）を収納棚１７に置いてよい。
【００１６】
図３は、図１のＩＩＩ−ＩＩＩ矢視図である。図３に示すように、収納棚１７が、鉛直方向に複数段に設けられていてよい。例えば、開放部分Ｓ２ｂの全高にわたって、多段に収納棚１７が設けられていてよい。これにより、開放部分Ｓ２ｂの高さ全体を収納スペースとして活用できる。
【００１７】
また、複数段の収納棚１７の奥行寸法（図１の左右方向の寸法）は、同じでなく複数種類の寸法があってよい。例えば、複数段の収納棚１７には、出し入れのし易い小さい第１の奥行寸法（一例では３０ｃｍ）を持つ収納棚１７と、大型の物を収納できるように第１の奥行寸法よりも大きい第２の奥行寸法（一例では、６０ｃｍ）を持つ収納棚１７が含まれていてよい。なお、収納棚１７は、住居構造１０の壁に結合されていてもよいし、移動可能な棚であってもよい。
【００１８】
また、図２のように、目隠し壁１５において、主空間Ｓ１側の壁面には、絵などの装飾品１９を掛けることができる。更に、主空間Ｓ１において、目隠し壁１５の直前の空間には、机２１ａと椅子２１ｂを配置してもよい。
【００１９】
図４は、図１のＩＶ−ＩＶ矢視図である。図４のように、遮蔽部分Ｓ２ａには、床面から上方に離間して水平に配置された棒状部材２３が設けられてよい。棒状部材２３は、衣類を掛けたハンガーのフックを掛けるためのものである。したがって、当該ハンガーを棒状部材２３に掛けることにより、遮蔽部分Ｓ２ａを、衣類の収納スペース、または、洗濯した衣類の乾燥スペースとして活用できる。
【００２０】
棒状部材２３は、例えば図４のように天井から吊るされている。この場合、２本の紐状体２５が設けられてよい。各紐状体２５は、天井に取り付けられた上端部と、リング状部材２７が取り付けられた下端部とを有する。２本の紐状体２５が互いに離間して配置され、各紐状体２５の下端部のリング状部材２７の開口に（図４の左右方向に）棒状部材２３が通されている。このような構成により、棒状部材２３は、床面から上方に離間した位置で水平に配置されるように、リング状部材２７と紐状体２５を介して天井に支持される。
【００２１】
また、図４のように遮蔽部分Ｓ２ａにおいても、複数段の収納棚２９が設けられてよい。当該複数段の収納棚２９は、目隠し壁１５と反対側における遮蔽部分Ｓ２ａの端部に配置されていてよい。
【００２２】
収納空間Ｓ２の高さは、主空間Ｓ１の高さと同じであってよい。例えば、収納空間Ｓ２の全体の高さと開口Ｓ２ｏの高さは、主空間Ｓ１の高さと同じであってよい。主空間Ｓ１の高さは、部屋５の床面から天井までの高さであってよく、一例では２４５ｃｍである。このような構成により、大人の人が、立った状態で、収納空間Ｓ２に入ることができる。
【００２３】
図２のように、収納空間Ｓ２の遮蔽部分Ｓ２ａにおいて、開放部分Ｓ２ｂと反対側の端部は、壁３１により閉じられていてよい。この場合、当該端部には、収納棚３３が設けられてよい。ただし、遮蔽部分Ｓ２ａにおいて、開放部分Ｓ２ｂと反対側の端部は、隣接する部屋又は他の空間への開口になっていてもよい。この開口の高さは、当該開口を人が立った状態で通れる高さであってよく、例えば当該隣接する部屋又は他の空間の高さと同じであってよい。
【００２４】
以下において、第１実施形態による主な効果を説明する。
【００２５】
上述した第１実施形態によると、収納空間Ｓ２の遮蔽部分Ｓ２ａは、目隠し壁１５により第１水平方向に覆われているので、遮蔽部分Ｓ２ａに収納した物を、主空間Ｓ１から隠すことができる。
【００２６】
また、遮蔽部分Ｓ２ａから連続している開放部分Ｓ２ｂは、主空間Ｓ１に開放されているので、主空間Ｓ１と遮蔽部分Ｓ２ａとの間を人がスムーズに移動できる。したがって、遮蔽部分Ｓ２ａへの物の収納と、遮蔽部分２ａからの物の取り出しがスムーズになる。例えば、来客が急にあっても、部屋５の主空間Ｓ１における小物や衣類などを、当該主空間Ｓ１に直結した収納空間Ｓ２の遮蔽部分Ｓ２ａに直ぐ移動して片付けることができる。また、健康グッズや掃除機などを、遮蔽部分２ａに仮置きすることができる。
【００２７】
なお、第１実施形態では、上述した効果以外に次の効果も得られる。
【００２８】
部屋５の主空間Ｓ１からは、目隠し壁１５の隣には奥行きのある開放部分Ｓ２ｂが見えるので、開放感が得られる。
【００２９】
上述のように、遮蔽部分Ｓ２ａは、物を隠して収納する機能を有し、開放部分Ｓ２ｂは、インテリアデザイン性を発揮する物品１８を主空間Ｓ１から見えるように配置させる機能を有し、目隠し壁１５の直前に机２１ａと椅子２１ｂを配置することにより書斎スペースの機能が得られる。したがって、多機能型の部屋５を実現することができる。
【００３０】
また、収納空間Ｓ２の開放部分Ｓ２ｂは、開口Ｓ２ｏを通して主空間Ｓ１に開放されているので、遮蔽部分Ｓ２ａの通気性が確保される。したがって、遮蔽部分Ｓ２ａに、洗濯物を掛けるための棒状部材２３を配置することで、遮蔽部分Ｓ２ａが洗濯物を干す場所として活用できる。
【００３１】
更に、収納空間Ｓ２の開放部分Ｓ２ｂは、開口Ｓ２ｏを通して主空間Ｓ１に開放されているので、収納空間Ｓ２に、自動掃除機用の充電器を配置することもできる。したがって、自動掃除機は、自身のバッテリーに蓄えられた電力量が少なくなると、自動で、開口Ｓ２ｏを通って上記充電器に接続することができる。
【００３２】
［第２実施形態］
図５は、本発明の第２実施形態による住居構造１０の平面図である。図６は、図５のＶＩ−ＶＩ矢視図である。第２実施形態では、以下で説明する構成が第１実施形態と異なる。第２実施形態において、以下で説明しない点は第１実施形態と同じであってよい。
【００３３】
第２実施形態では、図６のように、遮蔽部分Ｓ２ａを基準して開放部分Ｓ２ｂの反対側には、遮蔽部分Ｓ２ａに隣接する隣接空間部分Ｓ１ａ（破線で囲んだ部分）が設けられている。隣接空間部分Ｓ１ａは、主空間Ｓ１の一部である。遮蔽部分Ｓ２ａと反対側において目隠し壁１５と対向する位置から目隠し壁１５側を見た場合に、隣接空間部分Ｓ１ａも見えるようになっている。したがって、開放部分Ｓ２ｂに加えて隣接空間部分Ｓ１ａを設けることにより、一層の開放感が得られる。
【００３４】
また、隣接空間部分Ｓ１ａにおいて、図５と図６のように、机２１ａと椅子２１ｂを配置してもよい。この場合、目隠し壁１５の直前には、机２１ａと椅子２１ｂの代わりに他の物（図６の例では、テレビ台３５ａとテレビ３５ｂ）を配置してよい。
【００３５】
隣接空間部分Ｓ１ａには、図６のように、収納棚３７（例えば複数段の収納棚３７）を設けてもよい。なお、図５では、収納棚３７に置いた物品１８は、目隠し壁１５と対向する位置から見えるので、インテリアデザイン性を発揮する物品１８を収納棚３７に置いてよい。
【００３６】
［第３実施形態］
図７は、本発明の第３実施形態による住居構造１０の平面図である。図８は、図７のＶＩＩＩ−ＶＩＩＩ矢視図である。第３実施形態では、以下で説明する構成が第１実施形態と異なる。第３実施形態において、以下で説明しない点は第１実施形態と同じであってよい。
【００３７】
第３実施形態では、目隠し壁１５の（目隠し壁１５の一部又は全体）は、リビングダイニングキッチンルーム５におけるキッチン部分Ｓ１ｂに配置されている。この場合、目隠し壁１５は、リビングダイニングキッチンルーム５におけるダイニングルーム部分と居間部分の一方又は両方に面していてよい。
【００３８】
また、第３実施形態では、開放部分Ｓ２ｂは、キッチン部分Ｓ１ｂに直結している。したがって、収納空間Ｓ２は、キッチンで使用する物（調理器具や食器やグラスやカップなど）の収納に便利である。この場合、遮蔽部分Ｓ２ａには、上述した棒状部材２３を配置しなくてよい。
【００３９】
開放部分Ｓ２ｂの収納棚１７は、主空間Ｓ１の居間部分とダイニングルーム部分の一方又は両方から見える位置にある。したがって、開放部分Ｓ２ｂの収納棚１７には、インテリアデザイン性を発揮する物品１８（グラスやカップや皿など）を置いてよい。
【００４０】
また、第３実施形態では、第２実施形態と同様に、図８のように、遮蔽部分Ｓ２ａを基準として開放部分Ｓ２ｂと反対側には、遮蔽部分Ｓ２ａに隣接する隣接空間部分Ｓ１ａ（破線で囲んだ部分）が設けられている。隣接空間部分Ｓ１ａは、主空間Ｓ１の一部である。遮蔽部分Ｓ２ａと反対側において目隠し壁１５と対向する位置から目隠し壁１５側を見た場合に、隣接空間部分Ｓ１ａも見えるようになっている。また、隣接空間部分Ｓ１ａにおいて、図７と図８のように、机２１ａと椅子２１ｂを配置してもよい。
【００４１】
また、隣接空間部分Ｓ１ａにおいて遮蔽部分Ｓ２ａと反対側の壁面には、絵などの装飾品１９を掛けることができる。なお、当該壁面には、図８のように、装飾品１９を置く台３９が取り付けられてもよい。
【００４２】
本発明は上述した実施の形態に限定されず、本発明の技術的思想の範囲内で種々変更を加え得ることは勿論である。例えば、本発明の各実施形態による住居構造１０は、上述した複数の事項の全て有していなくてもよく、上述した複数の事項のうち一部のみを有していてもよい。また、上述した各実施形態の一部同士を組み合わせてもよい。収納棚３７の図示を省略している。
【００４３】
また、以下の変更例１〜３のいずれかを単独で採用してもよいし、変更例１〜３の２つ以上を任意に組み合わせて採用してもよい。この場合、以下で述べない点は、上述と同じである。
【００４４】
（変更例１）
目隠し壁１５を設けた部屋は、上述では、リビングルームダイニングキッチンルームであったが、居間を含む他の部屋であってもよい。例えば、目隠し壁１５を設ける部屋は、リビングルームであってもよいし、リビングルームとダイニングルームが１つになったリビングダイニングルームであってもよい。
【００４５】
（変更例２）
開放部分Ｓ２ｂが主空間Ｓ１に開放されている方向は、上述の第１水平方向に限定されない。すなわち、開放部分Ｓ２ｂは、第１水平方向と第２水平方向の一方又は両方に開放されていればよい。
【００４６】
（変更例３）
住居構造１０は、上述では、集合住宅の住戸を構成したが、一戸建て構成するものであってもよい。すなわち、目隠し壁１５を設けた部屋は、一戸建ての部屋であってもよい。
【符号の説明】
【００４７】
１  玄関、２〜５  部屋、６  トイレ、７  浴室、９  収納室、１０  住居構造、１１  洗面所、１３  バルコニー、１５  目隠し壁、１７  収納棚、１８  物品、１９  装飾品、２１ａ  机、２１ｂ  椅子、２３  棒状部材、２５  紐状体、２７  リング状部材、２９  収納棚、３１  壁、３３  収納棚、３５ａ  テレビ台、３５ｂ  テレビ、３７  収納棚、３９  台、Ｓ１  主空間、Ｓ１ａ  隣接空間部分、Ｓ１ｂ  キッチン部分、Ｓ２  収納空間、Ｓ２ａ  遮蔽部分、Ｓ２ｂ  開放部分、Ｓ２ｏ  開口
【図１】
2020066881.tif 000003
【図２】
2020066881.tif 000004
【図３】
2020066881.tif 000005
【図４】
2020066881.tif 000006
【図５】
2020066881.tif 000007
【図６】
2020066881.tif 000008
【図７】
2020066881.tif 000009
【図８】
2020066881.tif 000010